(57)【特許請求の範囲】
【請求項１】
電子部品を搭載した制御基板を収納した基板ボックスを設けた遊技機において、
前記基板ボックスを当該遊技機に取り付けるための取付部材と、
前記取付部材に対して前記基板ボックスを固着するための固着手段と、を備え、
前記固着手段は、
前記基板ボックスを前記取付部材に対して取り付けた状態で、当該基板ボックスと取付部材とを止着する止着部と、
複数の固着部が連結部により連結して形成され、前記止着部により前記基板ボックスと取付部材とが止着された状態で、前記固着部により前記基板ボックスと前記取付部材とを固着するための制御装置固着部と、を備え、
前記基板ボックスと前記取付部材は、前記制御装置固着部の連結部を切断し、前記止着部の止着状態を解除することで、前記固着手段による固着状態が解除されるように構成され、
前記基板ボックスは、前記取付部材に対してスライドして取り付けられるように構成され、
第１ボックス構成部材と、
第２ボックス構成部材と、
前記第１ボックス構成部材及び前記第２ボックス構成部材を所定操作により固着するボックス固着手段と、を備え、
前記取付部材は、
上下方向及び左右方向に対して略平行に延在する板状に形成されるとともに、前記基板ボックスが保持されるボックス取付部を備え、当該ボックス取付部における基板ボックスのスライド方向端部には、前記基板ボックスを止着するためのネジが挿通されるネジ穴が形成された止着部をなす螺合部が配設され、
前記制御装置固着部は、
前記取付部材に取り付けられて前記止着部をなす第１構成部材と、
該第１構成部材を覆うように配設される第２構成部材と、を備え、
前記第１構成部材は、
前記取付部材の螺合部が挿通される取付孔が形成された止着部をなす取付部と、
複数の固着部をなし、略中央部に前後方向に亘ってネジ穴が形成される複数のかしめ受部と、を備え、
前記第２構成部材には、複数の固着部をなし、前記複数のかしめ受部に対応するように略中央部に前後方向に亘ってネジ孔が形成される複数のかしめ部を備え、
前記基板ボックスには、当該基板ボックスを前記取付部材に対してスライドして取り付けた状態において、前記取付部材の螺合部のネジ穴と、前記第１構成部材の取付部に形成される取付孔と、に連通するネジ孔が形成された止着部をなすネジ孔部を備え、
前記取付部材に前記第１構成部材を取り付けた状態で、前記基板ボックスをスライドさせて取り付け、前記取付部材の螺合部のネジ穴と前記第１構成部材の取付部に形成される取付孔と前記基板ボックスのネジ孔部に形成されるネジ孔とが連通し、当該連通したネジ穴と取付孔とネジ孔に取付ネジを螺子込むことで、前記基板ボックスと前記取付部材とが前記第１構成部材を介して止着され、
さらに、この止着状態において、前記第１構成部材のかしめ受部が前記ボックス固着手段の固着操作面を覆うように配置され、
前記止着状態において、前記第２構成部材を、前記止着部を覆うように取り付け、前記かしめ部に形成されるネジ孔と前記かしめ受部に形成されるネジ穴とが連通し、当該連通したネジ孔からワンウェイネジをネジ穴に螺子込んで前記第１構成部材と前記第２構成部材とが固着されることにより、前記第１構成部材を介して止着される前記基板ボックスと前記取付部材とが固着されることを特徴とする遊技機。
【請求項２】
前記第２構成部材には、前記基板ボックスのスライドを規制する複数のスライド規制手段が設けられ、
該複数のスライド規制手段は、前記基板ボックスの所定部位に係合するとともに前記止着部を覆い、当該止着部における基板ボックスのスライド方向端部に当接することで、当該基板ボックスのスライドを規制するスライド規制部をそれぞれ備え、
前記スライド規制部の当接状態は、前記固着手段の固着解除後に解除可能に構成されていることを特徴とする請求項１に記載の遊技機。
【請求項３】
前記第２構成部材に備えられる複数のスライド規制手段には、前記基板ボックスと係合して、該基板ボックスの左右方向のスライドを規制するための複数の被覆面部が形成されていることを特徴とする請求項２に記載の遊技機。 
【発明の詳細な説明】
【技術分野】
【０００１】
本発明は、基板ボックスを備える遊技機に関する。
【背景技術】
【０００２】
従来、遊技制御基板等を収納する基板ボックスは、基板を収納した状態で収納部材（上蓋部材）とベース部材とをスライド等により取り付け、特殊な工具（例えば、ドライバー）を使用してワンウェイネジ（単方向ネジ）を締めて固定し、さらにその上から合成樹脂製のビス押さえ部材（封止キャップ）を嵌め込んで強固に取り付けるようにしたかしめ構造が採用されている。
従って、基板ボックスを開放する際には、収納部材とベース部材とかしめ部を破壊する必要があり、不正に基板ボックスが開口された際には、破壊した痕跡が残るようになっている（例えば、特許文献１参照）。
【特許文献１】特開平１０−２６３１７１号公報
【発明の開示】
【発明が解決しようとする課題】
【０００３】
しかしながら、上記のような従来の基板ボックスの構成では、当該基板ボックスを遊技機本体から容易に取り外すことができるため、その後、収納部材とベース部材との合わせの部位や、そこに形成される僅かな隙間に専用工具等を挿入して、かしめ部が破壊されないように合わせの隙間を広げて、ボックス内部に不正部材を挿入したり、あるいはその隙間から基板上のＲＯＭ等を不正なものに交換する等の不正行為が行われる可能性があった。
【０００４】
そこで、本発明は、上記事情に鑑みてなされたものであって、遊技機本体から基板ボックスを取り外し難くすることができ、当該基板ボックスに対する不正を防止することができる遊技機を提供することを目的とする。
【課題を解決するための手段】
【０００５】
以上の課題を解決するため、請求項１に記載の発明は、
電子部品を搭載した制御基板を収納した基板ボックスを設けた遊技機において、
前記基板ボックスを当該遊技機に取り付けるための取付部材と、
前記取付部材に対して前記基板ボックスを固着するための固着手段と、を備え、
前記固着手段は、
前記基板ボックスを前記取付部材に対して取り付けた状態で、当該基板ボックスと取付部材とを止着する止着部と、
複数の固着部が連結部により連結して形成され、前記止着部により前記基板ボックスと取付部材とが止着された状態で、前記固着部により前記基板ボックスと前記取付部材とを固着するための制御装置固着部と、を備え、
前記基板ボックスと前記取付部材は、前記制御装置固着部の連結部を切断し、前記止着部の止着状態を解除することで、前記固着手段による固着状態が解除されるように構成され、
前記基板ボックスは、前記取付部材に対してスライドして取り付けられるように構成され、
第１ボックス構成部材と、
第２ボックス構成部材と、
前記第１ボックス構成部材及び前記第２ボックス構成部材を所定操作により固着するボックス固着手段と、を備え、
前記取付部材は、
上下方向及び左右方向に対して略平行に延在する板状に形成されるとともに、前記基板ボックスが保持されるボックス取付部を備え、当該ボックス取付部における基板ボックスのスライド方向端部には、前記基板ボックスを止着するためのネジが挿通されるネジ穴が形成された止着部をなす螺合部が配設され、
前記制御装置固着部は、
前記取付部材に取り付けられて前記止着部をなす第１構成部材と、
該第１構成部材を覆うように配設される第２構成部材と、を備え、
前記第１構成部材は、
前記取付部材の螺合部が挿通される取付孔が形成された止着部をなす取付部と、
複数の固着部をなし、略中央部に前後方向に亘ってネジ穴が形成される複数のかしめ受部と、を備え、
前記第２構成部材には、複数の固着部をなし、前記複数のかしめ受部に対応するように略中央部に前後方向に亘ってネジ孔が形成される複数のかしめ部を備え、
前記基板ボックスには、当該基板ボックスを前記取付部材に対してスライドして取り付けた状態において、前記取付部材の螺合部のネジ穴と、前記第１構成部材の取付部に形成される取付孔と、に連通するネジ孔が形成された止着部をなすネジ孔部を備え、
前記取付部材に前記第１構成部材を取り付けた状態で、前記基板ボックスをスライドさせて取り付け、前記取付部材の螺合部のネジ穴と前記第１構成部材の取付部に形成される取付孔と前記基板ボックスのネジ孔部に形成されるネジ孔とが連通し、当該連通したネジ穴と取付孔とネジ孔に取付ネジを螺子込むことで、前記基板ボックスと前記取付部材とが前記第１構成部材を介して止着され、
さらに、この止着状態において、前記第１構成部材のかしめ受部が前記ボックス固着手段の固着操作面を覆うように配置され、
前記止着状態において、前記第２構成部材を、前記止着部を覆うように取り付け、前記かしめ部に形成されるネジ孔と前記かしめ受部に形成されるネジ穴とが連通し、当該連通したネジ孔からワンウェイネジをネジ穴に螺子込んで前記第１構成部材と前記第２構成部材とが固着されることにより、前記第１構成部材を介して止着される前記基板ボックスと前記取付部材とが固着されることを特徴とする。 
【０００６】
請求項１に記載の発明によれば、取付部材に対して基板ボックスを痕跡が残るような状態で固着を解除可能な固着手段により固着することとなるとともに、構成部材で前記止着部を覆った状態で制御装置固着部によって基板ボックスと取付部材とを固着するように構成されるので、取付部材から基板ボックスを不正に取り外すことを防止することができ、当該基板ボックスに対して工具を使用して隙間を形成して行われる不正を防止することができる。また、仮に不正行為が行われた場合には、破壊箇所の発生によりその痕跡が残り、不正行為が行われたことを迅速に発見することができる。
また、請求項１に記載の発明によれば、基板ボックスは、第１ボックス構成部材及び第２ボックス構成部材を所定操作により固着するボックス固着手段を備え、固着手段を、ボックス固着手段における固着操作面を覆うように配設したので、固着手段により基板ボックスのボックス固着手段を覆い隠すことができ、基板ボックスに対する不正を防止することができる。
さらに、請求項１に記載の発明によれば、不正行為が行われた場合には、破壊箇所の発生によりその痕跡が明確に残り、不正行為が行われたことを迅速かつ確実に発見することができる。
【０００７】
請求項２に記載の発明は、請求項１に記載の遊技機において、
前記第２構成部材には、前記基板ボックスのスライドを規制する複数のスライド規制手段が設けられ、
該複数のスライド規制手段は、前記基板ボックスの所定部位に係合するとともに前記止着部を覆い、当該止着部における基板ボックスのスライド方向端部に当接することで、当該基板ボックスのスライドを規制するスライド規制部をそれぞれ備え、
前記スライド規制部の当接状態は、前記固着手段の固着解除後に解除可能に構成されていることを特徴とする。 
【０００８】
請求項２に記載の発明によれば、前記第２構成部材には、前記基板ボックスのスライドを規制する複数のスライド規制手段が設けられ、該複数のスライド規制手段は、前記基板ボックスの所定部位に係合するとともに前記止着部を覆い、当該止着部における基板ボックスのスライド方向端部に当接することで、当該基板ボックスのスライドを規制するスライド規制部をそれぞれ備え、前記スライド規制部の当接状態は、前記固着手段の固着解除後に解除可能に構成されているので、取付部材から基板ボックスを取り外す際のスライドが困難となり、基板ボックスを取り外して行われる不正行為を確実に防止することができる。 
【００１３】
請求項３に記載の発明は、請求項２に記載の遊技機において、
前記第２構成部材に備えられる複数のスライド規制手段には、前記基板ボックスと係合して、該基板ボックスの左右方向のスライドを規制するための複数の被覆面部が形成されていることを特徴とする。 
【００１４】
請求項３に記載の発明によれば、第２構成部材に備えられる複数のスライド規制手段には、前記基板ボックスと係合して、該基板ボックスの左右方向のスライドを規制するための複数の被覆面部が形成されるので、基板ボックスのスライドをより困難にすることができる。
【発明の効果】
【００１５】
本発明によれば、取付部材から基板ボックスを不正に取り外すことを防止することができ、当該基板ボックスに対して工具を使用して隙間を形成して行われる不正を防止することができる。また、仮に不正行為が行われた場合には、破壊箇所の発生によりその痕跡が残り、不正行為が行われたことを迅速に発見することができる。
【発明を実施するための最良の形態】
【００１６】
以下、この発明の実施形態について図面を参照して説明する。
ここでは、本発明にかかる遊技機１００の適例としてのパチンコ遊技機１００について図１〜図９を用いて説明を行う。
【００１７】
図１は、本発明を適用した一実施形態の遊技機１００に備わる遊技盤１の一部を示す背面図であり、取付ベース２に取り付けられた演出制御装置３及び遊技制御装置１０を示す。
本実施形態の遊技機１００は、矩形枠状に構成された機枠（図示略）を備え、この機枠の前方に該機枠に対し回動可能に矩形枠状の前面枠（図示略）が軸支されており、前面枠の背面側には、当該前面枠に形成された開口部から前側に臨むように遊技盤１が取り付けられている。
そして、遊技盤１の背面側には、各種部材が取り付けられる取付ベース２が設けられ、取付ベース２の上側に、表示ユニットを制御する演出制御装置３が取付けられ、その下側に、当該遊技盤１に設けた遊技装置の動作制御などを行うことで遊技の進行を統括的に制御する遊技制御装置１０（詳細後述）が基板ホルダ６０を介して取り付けられている。
【００１８】
なお、前面枠の前面側には、図示は省略するが、前側を覆うようにクリア部材保持枠が配置されている。そして、遊技盤１の前面とクリア部材保持枠に嵌め込まれたクリア部材としてのガラス板との間であって、遊技盤１の前面に設けられたガイドレール（図示略）に囲まれた部分が、遊技球が発射されて流下する遊技領域（図示略）とされ、この遊技領域内に遊技球（打球；遊技媒体）を発射して遊技を行うようになっている。
また、前面枠の前面側のクリア部材保持枠の下側に取り付けられた発射操作ユニット（図示略）は、排出された遊技球を貯留するとともに、遊技球を発射する発射装置に遊技球を送る上皿と、上皿に収容しきれない遊技球を収容する下皿及び灰皿と、遊技領域に向けての遊技球の発射操作を行うとともに、発射勢を調節するための操作ハンドルなどが設けられている。
【００１９】
また、前面枠の背面側には、遊技機１００としての諸機能を実現するための機構として、例えば、島設備より供給される遊技球を貯留する貯留タンク（図示略）や、球貸要求に応じた球排出や賞球排出を行う排出装置（図示略）、遊技盤１に設けられた各種入賞口へ入賞して回収された遊技球や何れの入賞口にも入賞せずにアウト口から回収された遊技球を機外の回収球搬送路へ導く遊技球回収機構（図示略）、球排出や打球の発射制御を行う排出・発射制御装置（図示略）、各部へ所定の電源を供給する電源装置（図示略）などが設けられている。
【００２０】
以下に、遊技制御装置１０について図２〜図９を参照して詳細に説明する。
遊技制御装置１０は、遊技機１００の制御を行う遊技制御基板（図示略）を基板ボックス１２に収納したものであって、取付ベース２に回動自在に軸着された基板ホルダ６０に保持されて遊技盤１の背面側に取り付けられている。
なお、遊技制御装置１０は遊技盤１の背面に取り付けられ、該遊技盤１が前面枠に取り付けられることで、遊技機１００の背面側から視認可能に配されている。よって、以下の説明では、図１に示すように、遊技機１００の背面側に配された遊技制御装置１０を遊技機１００の背面側から見た状態を基準として、遊技機１００の背面側から視認可能な面を前面（正面）、遊技盤１に取り付けられた側を後面とし、上下左右も遊技機１００の背面側から見た状態での上下左右とする。
【００２１】
遊技制御基板は、図示は省略するが、外形が略矩形状の基板であって、前面には他の装置と接続するための複数のコネクタ１３、…（図１参照）が設けられているとともに、図示しないＣＰＵ、ＲＯＭ、ＲＡＭ内蔵のワンチップＩＣ等の電子部品が配されている。この遊技制御基板においては、例えば、大当たりの抽選や、遊技の進行制御などの遊技に関する種々の処理がなされるようになっており、このような制御を行う遊技制御基板に対する不正行為を防止するために、遊技制御基板は基板ボックス１２に収納されている。
なお、図２〜図４、図６及び図９にあっては、コネクタ１３の図示は省略している。
【００２２】
基板ボックス１２は、遊技制御装置１０の前面側を構成するとともに遊技制御基板を収納する第１ボックス構成部材２０と、後面側を構成する第２ボックス構成部材４０とを備え、第１ボックス構成部材２０と第２ボックス構成部材４０は正面視にて右側側部に設けられたボックス固着部７０（図３参照）により固着されている。
これにより、遊技制御基板が基板ボックス１２に完全に内包された状態となり、遊技制御基板に対する不正行為を防止するようになっている。
【００２３】
第１ボックス構成部材２０は、例えば、透光性の合成樹脂で形成されており、内部に収納した遊技制御基板を視認可能となっている。また、第１ボックス構成部材２０は、遊技制御基板の外形に対応させて略矩形枠状に連結された４つの側壁部２２、…と、各側壁部２２の前端部に連続して形成され、４つの側壁部とともに収納凹部２３を形成する前面壁２１とを具備し、収納凹部２３内に遊技制御基板がネジ止め等により取付固定されている。
【００２４】
収納凹部２３は、前面側に膨らんで内側に遊技制御基板を収納するものであり、遊技制御基板のコネクタ１３、…が設けられた部分に合わせて、遊技制御基板と対向する前面壁２１の一部分が後面側に凹んで段部２４、…が形成されている。また、段部２４、…にはコネクタが挿通されるコネクタ挿通開口部２５、…が設けられている。
このコネクタ挿通開口部２５、…に、基板ボックス１２に収納された遊技制御基板のコネクタ１３、…が挿入されて遊技制御装置１０の前面側に露出するようになっており、これによって遊技制御基板への配線が可能となっている。
また、コネクタ１３、…がコネクタ挿通開口部２５、…に挿入されることで、遊技制御基板は上下左右方向への移動が規制されるようになり、さらには、段部２４、…に遊技制御基板の前面が当接し、遊技制御基板の前方への移動が規制される。即ち、段部２４、…及びコネクタ挿通開口部２５、…は、第１ボックス構成部材２０に対する遊技制御基板の位置決めを行う機能も有する。
なお、遊技制御基板に設けるコネクタ１３、…は一部分に集中させないで、複数箇所に分散して設けられており、遊技制御基板が適切な位置に確実に保持されるようにされている。
【００２５】
また、４つの側壁部２２、…のうち、上下の側壁部２２、２２における外側の面には、当該側壁部２２に対して垂直に外側に突出する直方体状のボックススライド係合部（図示略）が複数形成されている。
ボックススライド係合部は、第２ボックス構成部材４０に形成されたボックススライド係合受部４６と係合可能であり、これにより第１ボックス構成部材２０と第２ボックス構成部材４０とが接合されるようになっている。
【００２６】
また、４つの側壁部２２、…のうち、左側の側壁部２２における外側の面には、当該側壁部２２に対して垂直に外側に突出する直方体状の第１挿入係合部（図示略）が形成されている。
第１挿入係合部は、第２ボックス構成部材４０に形成された第２挿入係合受部４７に挿入されることで係合し、これによっても第１ボックス構成部材２０と第２ボックス構成部材４０とが接合されるようになっている。
【００２７】
また、上側の側壁部２２における外側の面には、第２ボックス構成部材４０に形成された係止片４８と係合可能な係止部材２７が設けられており、これによって第１ボックス構成部材２０と第２ボックス構成部材４０を接合した状態で保持できるようになっている。
【００２８】
また、右側の側壁部２２には、外側に向かって突出されたボックスかしめ部配設部２８が形成されている。
ボックスかしめ部配設部２８は、右側の側壁部２２の上下方向のやや内側の位置から右側に突出するように形成されている。
具体的には、ボックスかしめ部配設部２８は、上側面部２８１及び下側面部２８２と、下側面部２８２の前端部に連続して設けられた前側広面部２８３と、上側面部２８１の前端部に連続して設けられた前側狭面部２８４と、前側広面部２８３の上側部分、即ち、ボックスかしめ部配設部２８の上下方向の略中央部の右側端部に連続して設けられた右側中面部２８５と、右側中面部２８５よりも下側に前側広面部２８３の上側部分及び下側面部２８２に連続して設けられた右側下面部２８６と、右側中面部２８５よりも上側に上側面部２８１に連続して設けられた右側上面部２８７と、右側中面部２８５から右側に延設された連結部３１、…（図３参照）を介して設けられた４つのボックスかしめ部３０、…と、右側下面部２８６から右側に延設されネジ孔２８ａを具備する下側ネジ孔部２８８と、右側上面部２８７から右側に延設されネジ孔２８ａを具備する上側ネジ孔部２８９とを備えている。
【００２９】
上側面部２８１及び下側面部２８２は、前後方向及び左右方向に対して略平行に延在するように配設されている。下側面部２８２の前後方向の長さは、収納凹部２３の高さ（深さ）と略等しくなっている。
前側広面部２８３は、収納凹部２３の前面壁２１と略面一となるように上下方向及び左右方向に対して略平行に延在するように配設されている。
前側狭面部２８４は、前側広面部２８３よりもわずかに低くなるように段差をつけて配置され、前後方向及び左右方向に対して略平行に延在するように配設されている。
右側中面部２８５、右側下面部２８６及び右側上面部２８７は、前後方向及び上下方向に対して略平行に延在するように配設されている。
【００３０】
下側ネジ孔部２８８及び上側ネジ孔部２８９に形成された各ネジ孔２８ａは、当該基板ボックス１２が基板ホルダ６０に対してネジ止めされる際に基板ホルダ６０の螺合部６６（後述）に螺子込まれる取付ネジが挿通されるものである。
なお、下側ネジ孔部２８８及び上側ネジ孔部２８９の後面側には、螺合部６６の中心軸がネジ孔２８ａの中心軸と前後方向にほぼ重なる位置まで螺合部６６を案内するように、右側端面から左側に切りかかれた切欠部２８ｂが形成されている。
【００３１】
４つのボックスかしめ部３０、…は、上下方向に所定間隔を空けて配設された４つの連結部３１、…を介して右側中面部２８５と接続されている。各ボックスかしめ部３０は、外形が前後方向に延在する円筒状に形成され、略中央部に第１ボックス構成部材２０と第２ボックス構成部材４０を固着する際にワンウェイネジ（図示略）が挿通されるネジ孔（図示略）が前後方向に沿って穿設されている。ここで、ワンウェイネジとは、締める方向にしか回すことができないネジである。
また、ボックスかしめ部３０は、ワンウェイネジ及び第２ボックス構成部材４０のボックスかしめ受部５０（後述）とともにボックス固着部７０を構成している。
【００３２】
なお、ボックスかしめ部３０は、その後端のネジ孔よりも右側部分が左側部分に対して後側に突出されており、当該ボックスかしめ部３０と接合するボックスかしめ受部５０を右側から覆うようになっている。これにより、ボックスかしめ部３０とボックスかしめ受部５０の接合部分に工具等を差し込んで当該基板ボックス１２を開放する不正行為を抑制することができる。
【００３３】
各連結部３１は、各ボックスかしめ部３０の外周面と右側中面部２８５とを個別に繋ぐものであり、これにより、隣合う連結部３１どうしの間、最も上側のボックスかしめ部３０と上側ネジ孔部２８９の下面との間及び最も下側のボックスかしめ部３０と下側ネジ孔部２８８の上面との間に、カバー部材９０の櫛歯部９７２（図８参照）が挿入される櫛歯挿入隙間３２（図３参照）が形成されている。
【００３４】
第２ボックス構成部材４０は、例えば、透光性の合成樹脂で形成されており、内部に収納した遊技制御基板を視認可能となっている。また、第２ボックス構成部材４０は、遊技制御装置１０の後面をなす略矩形状の後面壁（図示略）と、該後面壁の周囲を囲むように前側に略垂直に突出した周囲壁４２とを有し、周囲壁４２の内側に第１ボックス構成部材２０の側壁部２２が配設される。
【００３５】
後面壁の前面であって上側の周囲壁４２のすぐ下側には、当該周囲壁４２と平行なリブ状の上部案内壁（図示略）が形成され、上側の側壁部２２が左右方向にスライド可能に嵌合するスライド溝が形成されている。
また同様に、下側の周囲壁４２のすぐ上側には、当該周囲壁４２と平行なリブ状の下部案内壁（図示略）が形成され、下側の側壁部２２が左右方向にスライド可能に嵌合するスライド溝が形成されている。
【００３６】
上下の周囲壁４２、４２における外側の面には、第１ボックス構成部材２０に形成されたボックススライド係合部（図示略）と対応する位置に、各ボックススライド係合部を受け入れるボックススライド係合受部４６、…が形成されている。
ボックススライド係合受部４６、…の各々は、上下の周囲壁４２、４２に形成されたＬ字状のスリット（図示略）と、該スリットが形成された部分の外側を覆うカバー部とからなる。
スリットは、周囲壁４２の前端に一端部が位置しており、ここから前後方向に沿って後方へ延在し、さらに直角に左方へ屈折して左右方向に沿って延在するように形成されている。そして、周囲壁４２の前端に位置する一端部が、ボックススライド係合部を受け入れる受入部とされ、スリットの外側を覆うカバー部にも、この部分に切欠状の開口が形成されている。
【００３７】
また、上下の周囲壁４２、４２における外側の面には、周囲壁４２に対して略垂直に外側に突出する直方体状のスライド係合部４１（図９参照）が複数（例えば、上下２個ずつ）形成されている。
【００３８】
左側の周囲壁４２には、第１ボックス構成部材２０に形成された第１挿入係合部（図示略）と対応する位置に、該挿入係合部を受け入れる２つの第２挿入係合受部４７、４７が形成されている。
そして、第１ボックス構成部材２０と第２ボックス構成部材４０とを組み合わせた状態で第１ボックス構成部材２０を左方向へスライドすることにより、第２挿入係合受部４７に第１挿入係合部が挿入されるようになっている。
【００３９】
また、上側の周囲壁４２における外側の面には、第１ボックス構成部材２０に設けられた係止部材２７と対応する位置に係止片４８が形成されている。
係止片４８は、外側へ向かって突出する突条であって、右側面が左側へ向かって周囲壁４２からの突出量が増加する斜面とされ、左側面は周囲壁４２に対して垂直な面とされている。そして、係止片４８に係止部材２７が係止することによって、後述するように、第１ボックス構成部材２０と第２ボックス構成部材４０とが接合した状態が保持される。
【００４０】
また、右側の周囲壁４２の外側の面には、第１ボックス構成部材２０に設けられたボックスかしめ部３０、…に対応するように４つのボックスかしめ受部５０、…がそれぞれ第２ボックス構成部材４０から延設された接続部４９（図５参照）を介して配設されている。
【００４１】
ボックスかしめ受部５０、…は、外形が前後方向に延在する円柱状に形成され、略中央部に第１ボックス構成部材２０と第２ボックス構成部材４０を固着する際にワンウェイネジが螺子込まれるネジ穴（図示略）が当該ボックスかしめ受部５０の前端面から前後方向に沿って穿設されている。
また、ボックスかしめ受部５０は、第１ボックス構成部材２０と第２ボックス構成部材４０とを接合させることによってボックスかしめ部３０、…と対向配置され、ボックスかしめ部３０のネジ孔とボックスかしめ受部５０のネジ穴が連通された状態となる。
【００４２】
また、右側の周囲壁４２の外側の面のボックスかしめ受部５０の上下両側には、当該周囲壁４２に対して略垂直に外側に突出する直方体状のボックス挿入係合部４３（図９参照）が形成されている。
【００４３】
上下の周囲壁４２、４２は、ボックスかしめ部配設部２８の上側面部２８１及び下側面部２８２よりも広い間隔を空けて配設されている。また、左右の周囲壁４２、４２は、当該周囲壁４２の内側にスライドさせるようにして取り付けられる第１ボックス構成部材２０のスライド量を考慮して、第１ボックス構成部材２０の左右の側壁部２２、２２よりも広い間隔を空けて配設されている。
これにより、第１ボックス構成部材２０と第２ボックス構成部材４０が接合された状態で、右側の周囲壁４２は、第１ボックス構成部材２０の右側の側壁部２２よりも右側に配置されるとともに、上下の周囲壁４２、４２は、ボックスかしめ部配設部２８の上側面部２８１及び下側面部２８２よりも外側に配置される。即ち、右側の周囲壁４２と右側の側壁部２２の間には、左右方向に沿って所定間隔を有する上側隙間４５１（図３参照）及び下側隙間４５２（図３参照）が形成された状態となり、制御装置固着部２００により基板ボックス１２を基板ホルダ６０に固着する場合に、制御装置固着部２００のカバー部材９０（後述）の上下の移動規制部９１１、９２１が当該上側隙間４５１及び下側隙間４５２に挿入される。
さらに、かかる状態にて、右側の周囲壁４２は、ボックスかしめ部配設部２８の右側上面部２８７及び右側下面部２８６と前後方向にほぼ重なるように配置される。即ち、右側上面部２８７及び右側下面部２８６よりも左側に奥まって配置される右側中面部２８５と右側の周囲壁４２との間には、左右方向に沿って所定間隔を有する中隙間（図示略）が形成された状態となり、制御装置固着部２００により基板ボックス１２を基板ホルダ６０に固着する場合に、カバー部材９０の櫛歯部９７２（図８参照）が櫛歯挿入隙間３２を介して当該隙間に挿入される。
【００４４】
４つのボックスかしめ部３０、…には、予めワンウェイネジが仮止めされている。そして、４つのボックスかしめ部３０、…の何れかに仮止めされているワンウェイネジがボックスかしめ部３０のネジ孔と当該ネジ孔に対向配置されたボックスかしめ受部５０のネジ穴に螺子込まれることで第１ボックス構成部材２０と第２ボックス構成部材４０が固着されている。
なお、ボックスかしめ部３０の前面は、ワンウェイネジのネジ頭部が露出しないようにキャップ３３（図９参照）により封止されている。
【００４５】
以上のような構成を有する基板ボックス１２は、第１ボックス構成部材２０と第２ボックス構成部材４０を接合する際には、先ず、第１ボックス構成部材２０のボックススライド係合部を第２ボックス構成部材４０のボックススライド係合受部４６、…に嵌め込むようにする。これにより、第１ボックス構成部材２０の収納凹部２３の後端部分が第２ボックス構成部材４０の周囲壁４２に収容されるとともに、第１ボックス構成部材２０の上下の側壁部２２、２２が第２ボックス構成部材４０のスライド溝に嵌合する。
そして、この状態で、第１ボックス構成部材２０を左方向へスライドさせることで、ボックススライド係合部とボックススライド係合受部４６、…が係合するとともに、第１挿入係合部が第２挿入係合受部４７、４７に挿入されて係合した状態となる。
これにより、第１ボックス構成部材２０と第２ボックス構成部材４０とが接合した状態となる。
【００４６】
また、第１ボックス構成部材２０に設けられた係止部材２７は、上述のように第１ボックス構成部材２０を左方向にスライドさせる過程で係止片４８の右側面の斜面に当接し、さらに左方向にスライドすることで、係止部材２７が弾性変形して係止片４８の斜面に沿って案内される。そして、係止部材２７の係止部が係止片４８を乗り越えると、弾性変形していた係止部材２７が元の状態に復帰し、係止片４８の垂直な左端面に係止部材２７が係止される。
このように、係止部材２７の係止部が係止片４８を乗り越えた状態となるのは、ちょうど第１ボックス構成部材２０が第２ボックス構成部材４０と接合された状態となったときであって、この位置で係止部材２７が係止されることで、第１ボックス構成部材２０と第２ボックス構成部材４０とが接合された状態で保持されることとなる。
【００４７】
第１ボックス構成部材２０と第２ボックス構成部材４０とが接合した状態では、ボックス固着部７０をなすボックスかしめ部３０、…とボックスかしめ受部５０、…とが対向するように配され、固着可能な状態となる。そして、４つのボックスかしめ部３０、…のうち、何れか（例えば、最も上側）のボックスかしめ部３０のネジ孔に仮止めされているワンウェイネジを当該ネジ孔に対向配置されたボックスかしめ受部５０のネジ穴に螺子込むことで第１ボックス構成部材２０と第２ボックス構成部材４０を固着する。
また、ボックス固着部７０による固着を解除するためには、ワンウェイネジにより固着されているボックスかしめ受部５０の接続部４９、若しくはボックスかしめ部３０の連結部３１を切断することにより行う。即ち、ボックス固着部７０は、痕跡が残るような方法でのみ固着解除可能とされている。
なお、ワンウェイネジによる固着を行う前であれば、係止部材２７を上側に引き上げるように弾性変形させて係止片４８による係止部の係止状態を解除し、第１ボックス構成部材２０を右方向へスライドさせることで、第１ボックス構成部材２０と第２ボックス構成部材４０の接合状態を解除することができる。
【００４８】
基板ボックス１２が取り付けられる基板ホルダ６０は、例えば、透光性の合成樹脂で形成されており、基板ボックス１２が保持されるホルダ本体部６１と、ホルダ本体部６１の左側に設けられた２つの回動軸６２、６２等を備えている。
【００４９】
２つの回動軸６２、６２は、上下に並んで配設されている。各回動軸６２は、上下方向に対して略平行に延在して形成され、取付ベース２の軸受部２９に軸着されることで、取付ベース２に対して上下方向の軸周りに回動自在に取付けられる。
【００５０】
ホルダ本体部６１は、上下方向及び左右方向に対して略平行に延在する板状に形成され、その後面には補強用のリブ（図示略）が上下左右に複数形成されている。
また、ホルダ本体部６１の右側部分には、中継基板（図示略）が取り付けられる中継基板取付部６３が設けられている。そして、中継基板取付部６３と回動軸６２の間の部分が、基板ボックス１２が取り付けられるボックス取付部６４となっている。
【００５１】
ボックス取付部６４の左右方向に延在する上下縁部には、基板ボックス１２の第２ボックス構成部材４０に形成されたスライド係合部４１と対応する位置に、スライド係合部４１を受け入れるスライド係合受部６４１が形成されている。
スライド係合受部６４１の各々は、当該ボックス取付部６４の前面から前側に突出するように形成され、基板ボックス１２側に開口した断面略「コ」字状の側壁部と、この側壁部の前端の右側部分に連続して形成され、当該右側部分のみを覆う右側被覆部とを備えている。
即ち、側壁部の前端の左側部分は、スライド係合部４１を受け入れるための開口部となっており、この開口部を介して当該スライド係合受部６４１の内側に配されたスライド係合部４１は相対的に右方向に移動することにより、右側被覆部により抜け止めされた状態でスライド係合受部に係合する。
これにより、基板ボックス１２が基板ホルダ６０に取り付けられるようになっている。
【００５２】
ボックス取付部６４の右端部には、基板ボックス１２のボックス挿入係合部４３と対応する位置に、ボックス挿入係合部４３を受け入れるボックス挿入係合受部６５、６５（図５参照）が上下に並んで形成されている。
ボックス挿入係合受部６５は、外形が略直方体状に形成され、左側に向けて開口した略矩形状の開口部を有している。そして、基板ホルダ６０に対して基板ボックス１２を相対的に右方向へスライドさせることにより、ボックス挿入係合受部６５に開口部を介してボックス挿入係合部４３が挿入される。
これによっても基板ボックス１２が基板ホルダ６０に取り付けられるようになっている。
【００５３】
ボックス挿入係合受部６５の外側、即ち、上側のボックス挿入係合受部６５よりも上側及び下側のボックス挿入係合受部６５よりも下側には、当該基板ボックス１２を基板ホルダ６０に対してネジ止めするための取付ネジ（図示略）が下側ネジ孔部２８８及び上側ネジ孔部２８９のネジ孔２８ａを介して挿通されるネジ穴６６ａが形成された螺合部６６が配設されている。
【００５４】
螺合部６６は、前後方向に延在して前側になるにつれて縮径される円錐台形状に形成され、略中央部に取付ネジが挿入されるネジ穴６６ａが前後方向に沿って穿設されている。
また、螺合部６６は、制御装置固着部２００により基板ホルダ６０に対して基板ボックス１２を固着する際に制御装置固着部２００のベース部材８０（後述）に設けられた取付孔８１（図７参照）に挿入される。このとき、螺合部６６は、円錐台形状に形成されているので、当該螺合部６６の外径と取付孔８１の内径が略等しくなる位置でベース部材８０の移動が規制されることとなって、所定位置にベース部材８０が配置される。
螺合部６６の延出長は、下側ネジ孔部２８８及び上側ネジ孔部２８９に形成された各ネジ孔２８ａの下面よりも低くなる程度となっており、基板ホルダ６０に基板ボックス１２が取り付けられた状態で下側ネジ孔部２８８及び上側ネジ孔部２８９のネジ孔２８ａの下側に螺合部６６が配置される。即ち、基板ホルダ６０に対して基板ボックス１２を相対的に右方向へスライドさせることにより、下側ネジ孔部２８８及び上側ネジ孔部２８９の切欠部２８ｂで螺合部６６を案内しながら右方向に移動していき、切欠部２８ｂの奥側の湾曲した部分が螺合部６６に当接することで基板ボックス１２のスライドが停止して、下側ネジ孔部２８８及び上側ネジ孔部２８９のネジ孔２８ａの中心軸が螺合部６６のネジ穴６６ａの中心軸と前後にほぼ重なる位置に配置された状態となる。
【００５５】
ボックス取付部６４の左側部には、基板ボックス１２の左端部に係合して当該ボックス取付部６４からの取り外しを規制する係止部６７が設けられている。
係止部６７は、当該ホルダ本体部６１と一体となって形成され、可撓性を有している。具体的には、係止部６７は、ボックス取付部６４の左側部の上下方向の中央やや下寄りの位置に設けられ、基板ボックス１２の左端部に係合する係合爪がホルダ本体部６１と略同方向に延在する延在部の先端部（左端部）に設けられている。
【００５６】
基板ホルダ６０に取り付けられた基板ボックス１２は、制御装置固着部２００により固着される。
制御装置固着部（固着手段）２００は、痕跡が残るような方法でのみ固着解除可能とされ、具体的には、基板ホルダ（取付部材）６０に取り付けられるベース部材（第１構成部材）８０と、ベース部材８０を覆うように配設されるカバー部材（第２構成部材）９０とを備えている。
【００５７】
ベース部材８０は、図７に示すように、例えば、透光性の合成樹脂で形成され、基板ホルダ６０の螺合部６６が挿通される取付孔８１を有し、基板ホルダ６０に取り付けられる上下のホルダ取付部８２ａ、８２ｂと、ワンウェイネジ９が螺合される４つのかしめ受部８３、…が連設されたかしめ受部配設部８４と、かしめ受部配設部８４と上ホルダ取付部８２ａを繋ぐ上側接続部８５と、かしめ受部配設部８４と下ホルダ取付部８２ｂを繋ぐ下側接続部８６とを備えている。
【００５８】
上ホルダ取付部８２ａは、所定幅（左右方向の長さ）を有し上下方向に延在する板状に形成され、上部に当該上ホルダ取付部８２ａを前後方向に貫通する断面略円形状の取付孔８１が穿設されている。また、上ホルダ取付部８２ａの後面側の下部には、奥側に突出して上側のボックス挿入係合受部６５の前端面に当接する当接部８９が配設されている。
上ホルダ取付部８２ａの上下方向の長さは、上側ネジ孔部２８９の上下方向の長さと略等しくなっており、上ホルダ取付部８２ａの下端部に連続して上側接続部８５が配設されている。
【００５９】
上側接続部８５は、上ホルダ取付部８２ａと略同等の幅（左右方向の長さ）を有し、上ホルダ取付部８２ａの下端部から上側ネジ孔部２８９の下側端面に沿うように前後方向前側に起立して形成されている。
【００６０】
下ホルダ取付部８２ｂは、所定幅（左右方向の長さ）を有し上下方向に延在する板状に形成され、下部に当該下ホルダ取付部８２ｂを前後方向に貫通する断面略円形状の取付孔８１が穿設されている。また、下ホルダ取付部８２ｂの後面側の上部には、奥側に突出して下側のボックス挿入係合受部６５の前端面に当接する当接部８９が配設されている。
下ホルダ取付部８２ｂの上下方向の長さは、下側ネジ孔部２８８の上下方向の長さと略等しくなっており、下ホルダ取付部８２ｂの上端部に連続して下側接続部８６が配設されている。
【００６１】
下側接続部８６は、下ホルダ取付部８２ｂと略同等の幅（左右方向の長さ）を有し、下ホルダ取付部８２ｂの上端部から下側ネジ孔部２８８の上側端面に沿うように前後方向前側に起立して形成されている。
【００６２】
また、上ホルダ取付部８２ａ、上側接続部８５、下ホルダ取付部８２ｂ及び下側接続部８６の右側端面は、基板ホルダ６０に基板ボックス１２が取り付けられた状態で、ボックスかしめ部配設部２８の下側ネジ孔部２８８及び上側ネジ孔部２８９の右側端面と略面一となっている。
【００６３】
かしめ受部配設部８４は、上側接続部８５及び下側接続部８６の間に配設され、具体的には、４つのかしめ受部８３、…と、上側接続部８５の前側の左縁部と下側接続部８６の前側の左縁部とを繋ぐ中板状部８７と、４つのかしめ受部８３、…を連結して中板状部８７及び上側接続部８５及び下側接続部８６に取り付けるかしめ受部取付部８８とを備えている。
【００６４】
かしめ受部８３は、外形が前後方向に延在する円柱状に形成され、略中央部に基板ホルダ６０に対して基板ボックス１２を固着する際にワンウェイネジ９（図６参照）が螺子込まれるネジ穴８３ａが当該かしめ受部８３の前端面から前後方向に沿って穿設されている。
また、各かしめ受部８３は、基板ホルダ６０に対して基板ボックス１２が取り付けられた状態で各ボックスかしめ部３０と前後方向にほぼ重なるように配置された状態となる。これにより、固着操作に際してボックスかしめ部３０のワンウェイネジが螺子込まれるネジ孔が形成された前端面（固着操作面）を覆うことができる。
さらに、かしめ受部８３は、基板ホルダ６０に基板ボックス１２が取り付けられることによってかしめ部９６と対向配置され、かしめ部９６のネジ孔９６ａとかしめ受部８３のネジ穴８３ａが連通された状態となる。
【００６５】
中板状部８７は、上下方向に長尺、且つ前後方向に幅広に形成され、その前端部が上側接続部８５及び下側接続部８６の前端部よりも前側に突き出ており、突出した部分でベース部材８０を覆うカバー部材９０の連結部を後側から支持するようになっている。
【００６６】
かしめ受部取付部８８は、上下方向に並設された４つのかしめ受部８３、…のうち、隣合うものどうしを連結するかしめ受部連結部８８１、…と、かしめ受部連結部８８１と中板状部８７を接続する連結部接続部８８２と、上側のかしめ受部８３と上側接続部８５の下面を接続する上接続部８８３と、下側のかしめ受部８３と下側接続部８６の上面を接続する下接続部８８４とを備えている。
【００６７】
カバー部材９０は、例えば、透光性の合成樹脂で形成され、ボックスかしめ部配設部２８及びベース部材８０を前側から覆うように配設される。
具体的には、図８に示すように、カバー部材９０は、上側面部２８１を覆う上側被覆面部９１と、下側面部２８２を覆う下側被覆面部９２と、上側被覆面部９１と下側被覆面部９２とを繋いで前側広面部２８３及び前側狭面部２８４を覆う前側被覆面部９３と、前側被覆面部９３の上側部分及び上側被覆面部９１に連続して設けられ上側ネジ孔部２８９及び上ホルダ取付部８２ａを覆う右側上被覆面部９４と、前側被覆面部９３の下側部分及び下側被覆面部９２に連続して設けられ下側ネジ孔部２８８及び下ホルダ取付部８２ｂを覆う右側下被覆面部９５と、右側上被覆面部９４と右側下被覆面部９５の間に設けられ、４つのかしめ部９６、…が取り付けられたかしめ部取付面部９７とを備えている。
【００６８】
上側被覆面部９１は、前後方向及び左右方向に対して略平行に延在する板状に形成されている。また、上側被覆面部９１の左側後端部（自由端部）に、基板ボックス１２の第２ボックス構成部材４０に対する第１ボックス構成部材２０の右方向へのスライドを規制する上移動規制部９１１が設けられている。
【００６９】
上移動規制部９１１は、右側後端部が前側に略矩形状に切り欠かれることにより、他の部分に対して後側に突出した略矩形状に形成されている。そして、上移動規制部９１１が、第１ボックス構成部材２０と第２ボックス構成部材４０により形成される上側隙間４５１に挿入されることで、第１ボックス構成部材２０の右側の側壁部２２と第２ボックス構成部材４０の右側の周囲壁４２との間に配置されて、第２ボックス構成部材４０に対する第１ボックス構成部材２０の右方向へのスライドが規制されるようになっている。
ここで、上移動規制部９１１は、閉状態とされた当該基板ボックス１２を開放する方向への第１ボックス構成部材２０の第２ボックス構成部材４０に対するスライドを規制するボックススライド規制部を構成している。
【００７０】
また、上移動規制部９１１の外側の面には、当該外面から上側に突出して前後方向に延在する上隙間挿入リブ９１２が配設されている。
上隙間挿入リブ９１２の後端部側には、当該上移動規制部９１１の外面に対して後端部ほど低くなるように傾斜した傾斜部が形成されている。これにより、上移動規制部９１１を上側隙間４５１に挿入し易くすることができるとともに、挿入後は、上隙間挿入リブ９１２が第２ボックス構成部材４０の上側の周囲壁４２の内面に接触してカバー部材９０の基板ボックス１２に対する上下方向のがたつきを抑制することができる。
【００７１】
下側被覆面部９２は、前後方向及び左右方向に対して略平行に延在する板状に形成されている。また、下側被覆面部９２の左側後端部（自由端部）に、基板ボックス１２の第２ボックス構成部材４０に対する第１ボックス構成部材２０の右方向へのスライドを規制する下移動規制部９２１が設けられている。
【００７２】
下移動規制部９２１は、右側後端部が前側に略矩形状に切り欠かれることにより、他の部分に対して後側に突出した略矩形状に形成されている。そして、下移動規制部９２１が、第１ボックス構成部材２０と第２ボックス構成部材４０により形成される下側隙間４５２に挿入されることで、第１ボックス構成部材２０の右側の側壁部２２と第２ボックス構成部材４０の右側の周囲壁４２との間に配置されて、第２ボックス構成部材４０に対する第１ボックス構成部材２０の右方向へのスライドが規制されるようになっている。
ここで、下移動規制部９２１は、閉状態とされた当該基板ボックス１２を開放する方向への第１ボックス構成部材２０の第２ボックス構成部材４０に対するスライドを規制するボックススライド規制部を構成している。
【００７３】
また、下移動規制部９２１の外側の面には、当該外面から上側に突出して前後方向に延在する下隙間挿入リブ９２２が配設されている。
下隙間挿入リブ９２２の後端部側には、当該下移動規制部９２１の外面に対して後端部ほど低くなるように傾斜した傾斜部が形成されている。これにより、下移動規制部９２１を下側隙間４５２に挿入し易くすることができるとともに、挿入後は、下隙間挿入リブ９２２が第２ボックス形成部の下側の周囲壁４２の内面に接触してカバー部材９０の基板ボックス１２に対する上下方向のがたつきを抑制することができる。
【００７４】
右側上被覆面部９４は、前後方向及び上下方向に対して略平行に延在する板状に形成されている。右側上被覆面部９４の上下方向の長さは、上側ネジ孔部２８９及び上ホルダ取付部８２ａの上下方向の長さと略等しくなっている。
また、右側上被覆面部９４の前後方向の長さは、少なくとも上ホルダ取付部８２ａを覆うか、上ホルダ取付部８２ａよりも後側となる程度となっている。これにより、基板ボックス１２を基板ホルダ６０に対して左方向にスライドさせても、右側上被覆面部９４の後端部の内面が上ホルダ取付部８２ａの右側端面に接触して、当該スライドが規制されるようになっている。ここで、右側上被覆面部９４は、基板ボックス１２のスライドを規制するスライド規制部を構成している。
【００７５】
右側下被覆面部９５は、前後方向及び上下方向に対して略平行に延在する板状に形成されている。右側下被覆面部９５の上下方向の長さは、下側ネジ孔部２８８及び下ホルダ取付部８２ｂの上下方向の長さと略等しくなっている。
また、右側下被覆面部９５の前後方向の長さは、少なくとも下ホルダ取付部８２ｂを覆うか、下ホルダ取付部８２ｂよりも後側となる程度となっている。これにより、基板ボックス１２を基板ホルダ６０に対して左方向にスライドさせても、右側下被覆面部９５の後端部の内面が下ホルダ取付部８２ｂの右側端面に接触して、当該スライドが規制されるようになっている。ここで、右側下被覆面部９５は、基板ボックス１２のスライドを規制するスライド規制部を構成している。
【００７６】
前側被覆面部９３は、右側上被覆面部９４と右側下被覆面部９５の間の部分が右側端面から左側に正面視にて略矩形状に切りかかれ、奥側（左側）端部に連続してかしめ部取付面部９７が形成されている。
かしめ部取付面部９７は、かしめ部９６が連結部９６１（図１参照）を介して配設されたかしめ部配設面部９７１と、かしめ部配設面部９７１の後端に連続して設けられ、当該カバー部材９０がベース部材８０に取り付けられることで第１ボックス構成部材２０の櫛歯挿入隙間３２及び右側中面部２８５と第２ボックス構成部材４０の右側の周囲壁４２との間の中隙間に挿入される５つの櫛歯を具備する櫛歯部９７２とを備えている。
【００７７】
かしめ部配設面部９７１は、前側被覆面部９３の前端面より前側に前後方向及び上下方向に対して略平行に延在する板状に形成されている。また、かしめ部配設面部９７１の下端部には、前側被覆面部９３の前端面より前側に延設された下側補強板９７３が接続されている。
下側補強板９７３の後側には、前側被覆面部９３の後端面及び右側下被覆面部９５の上端部に接続される下側位置決め板９７４が配設されている。
下側位置決め板９７４は、前後方向及び左右方向に対して略平行に延設され、先端（後端）が下側ネジ孔部２８８の前端面に当接して当該カバー部材９０を前後方向に位置決めする。
【００７８】
そして、かしめ部配設面部９７１には、かしめ受部８３に対応させて、上下方向に所定間隔を空けて配設された４つの連結部９６１、…を介して４つのかしめ部９６、…が配設されている。
【００７９】
各かしめ部９６は、外形が前後方向に延在する円筒状に形成され、略中央部にカバー部材９０とベース部材８０を固着する際にワンウェイネジ９（図６参照）が挿通されるネジ孔９６ａが前後方向に沿って穿設されている。ここで、かしめ部９６は、ワンウェイネジ９及びベース部材８０のかしめ受部８３とともに固着部を構成している。
【００８０】
なお、かしめ部９６の後端部には、ネジ孔９６ａよりも右側部分が左側部分に対して後側に突出された段差部９６ｂ（図８参照）が形成され、段差部９６ｂによって、当該かしめ部９６と接合するかしめ受部８３を右側から覆うようになっている。即ち、かしめ部９６の前後方向の長さは、当該カバー部材９０がベース部材８０に取り付けられた状態で、当該かしめ部９６の後端部の段差部９６ｂよりも内側の部分がかしめ受部８３の前端面に当接するとともに、段差部９６ｂによりかしめ受部８３の前端部が右側から覆われる程度となっている。
これにより、かしめ部９６のネジ孔９６ａとかしめ受部８３のネジ穴８３ａが連通された状態となるとともに、かしめ部９６とかしめ受部８３の接合部分に工具等を差し込んで当該カバー部材９０とベース部材８０の接合部分を開放する不正行為を抑制することができる。
【００８１】
櫛歯部９７２は、前側被覆面部９３の後端面より後側に前後方向及び上下方向に対して略平行に延在する板状に形成され、後端部（先端部）側に５つの櫛歯が各櫛歯挿入隙間３２の間隔に対応させて形成されている。
各櫛歯の上下方向の長さ（幅）は、対応する櫛歯挿入隙間３２の上下方向の長さよりも短く（狭く）なっている。また、各櫛歯の前後方向の長さは、当該カバー部材９０がベース部材８０に取り付けられて中隙間に挿入された状態で、第２ボックス構成部材４０の右側の周囲壁４２の前端（先端）よりも後側に配置される程度となっている。
また、櫛歯部９７２の上端部には、前側被覆面部９３の後端面及び右側上被覆面部９４の下端部に接続される上側位置決め板９７５が配設されている。
上側位置決め板９７５は、前後方向及び左右方向に対して略平行に延設され、当該櫛歯部９７２を補強するとともに、先端（後端）が上側ネジ孔部２８９の前端面に当接して当該カバー部材９０を前後方向に位置決めする。
【００８２】
４つのかしめ部９６、…には、予めワンウェイネジ９が仮止めされている。そして、４つのかしめ部９６、…の何れかに仮止めされているワンウェイネジ９がかしめ部９６のネジ穴９６ａと当該ネジ穴９６ａに対向配置されたかしめ受部８３のネジ穴８３ａに螺子込まれることでカバー部材９０とベース部材８０が固着されている。
なお、かしめ部９６の前面は、ワンウェイネジ９のネジ頭部が露出しないようにキャップ９８により封止されている。
【００８３】
次に、基板ホルダ６０に対する基板ボックス１２の取付方法について説明する。
先ず、基板ホルダ６０の各螺合部６６にベース部材８０の上下のホルダ取付部８２ａ、８２ｂの取付孔８１を挿通させるようにして基板ホルダ６０にベース部材８０を取り付ける。
その後、基板ボックス１２のスライド係合部４１を基板ホルダ６０のスライド係合受部６４１に挿入する。このとき、基板ボックス１２の底面（前側の面）により係合爪が前側に押し込まれて係止部６７が撓んだ状態となる。
なお、基板ボックス１２のスライド係合部４１を基板ホルダ６０のスライド係合受部６４１に挿入した後に、当該基板ホルダ６０にベース部材８０を取り付けるようにしても良い。
【００８４】
次に、スライド係合部４１をスライド係合受部６４１に係合させるように基板ボックス１２を右方向にスライド移動させると、下側ネジ孔部２８８及び上側ネジ孔部２８９の切欠部２８ｂで螺合部６６を案内しながら右方向に移動していく。そして、切欠部２８ｂの奥側の湾曲した部分が螺合部６６に当接することで基板ボックス１２のスライドが停止して、下側ネジ孔部２８８及び上側ネジ孔部２８９のネジ孔２８ａの中心軸が螺合部６６のネジ穴６６ａの中心軸と前後にほぼ重なる位置に配置された状態となるとともに、かしめ受部８３がボックスかしめ部３０と前後方向にほぼ重なった状態となる。また、このとき、基板ボックス１２の左端部が係合爪よりも右側に配置されて当該基板ボックス１２の底面による係合爪の後側への押込みが解除された状態、即ち、係止部６７が撓んでいない通常状態へと復帰して、係合爪が基板ボックス１２の左端部に係合した状態となる。さらに、このとき、基板ホルダ６０のボックス挿入係合受部６５に開口部を介して基板ボックス１２のボックス挿入係合部４３が挿入されて係合した状態となる。
その後、下側ネジ孔部２８８及び上側ネジ孔部２８９の各々のネジ孔２８ａを介して取付ネジを各螺合部６６のネジ穴６６ａに螺子込む。
【００８５】
次に、基板ボックス１２の上側隙間４５１及び下側隙間４５２に上下の移動規制部９１１、９２１を挿入するとともに、第１ボックス構成部材２０の櫛歯挿入隙間３２に櫛歯部９７２を差し込むようにして、カバー部材９０をボックスかしめ部配設部２８及びベース部材８０を前側から覆うように取り付ける。
そして、櫛歯部９７２が櫛歯挿入隙間３２を介して中隙間に挿入されて後面壁の前面に接触するとともに、移動規制部９１１、９２１が上側隙間４５１及び下側隙間４５２の後側の後面壁の前面に接触することでカバー部材９０の後方向に対する移動が停止する。また、このとき、カバー部材９０の上側位置決め板９７５が上側ネジ孔部２８９の前端面に接触するとともに、下側位置決め板９７４が下側ネジ孔部２８８の前端面に接触し、且つ、かしめ部９６の後端部の段差部９６ｂよりも内側の部分がかしめ受部８３の前端面に当接した状態となる。これにより、カバー部材９０が前後方向に位置決めされる。
また、この状態で、かしめ部９６のネジ孔９６ａとかしめ受部８３のネジ穴８３ａが対向して連通された状態となるとともに、右側上被覆面部９４及び右側下被覆面部９５の後端部が上ホルダ取付部８２ａ及び下ホルダ取付部８２ｂよりも後側に配置された状態となる。
【００８６】
そして、４つのかしめ部９６、…のうち、何れか（例えば、最も上側）のかしめ部９６のネジ孔９６ａに仮止めされているワンウェイネジ９を当該ネジ孔９６ａに対向配置されたかしめ受部８３のネジ穴８３ａに螺子込むことでカバー部材９０とベース部材８０を固着する。
その後、ワンウェイネジ９が螺合されたかしめ部９６の前面を、ワンウェイネジ９のネジ頭部が露出しないようにキャップ９８により封止する。
【００８７】
一方、基板ホルダ６０から基板ボックス１２を取り外す場合、ワンウェイネジ９が螺合されているかしめ受部８３に接続されているかしめ受部取付部８８（例えば、上接続部８８３とかしめ受部連結部８８１）、若しくはかしめ部９６の連結部９６１を切断する。これにより、カバー部材９０をベース部材８０から取り外し可能な状態となる。
そして、カバー部材９０をベース部材８０から取り外した後、下側ネジ孔部２８８及び上側ネジ孔部２８９の各々のネジ孔２８ａ及び螺合部６６のネジ穴６６ａに螺合されている取付ネジを取り外す。
その後、係合爪を後側に押し込むように係止部６７を撓ませて係合爪の係合を解除することで、係止部６７は基板ボックス１２の基板ホルダ６０からの取り外しを許容した状態となる。そして、基板ボックス１２を基板ホルダ６０に対して左側にスライド移動させることで、スライド係合部４１とスライド係合受部６４１の係合が解除されて、基板ホルダ６０から基板ボックス１２が取り外される。
【００８８】
以上のように、本実施形態の遊技機１００は、電子部品を搭載した遊技制御基板を収納した基板ボックス１２を設けた遊技機１００であって、基板ボックス１２を当該遊技機１００に取り付けるための基板ホルダ６０を設け、基板ホルダ６０に対して基板ボックス１２を痕跡が残るような方法でのみ固着解除される制御装置固着部２００により固着している。
【００８９】
従って、基板ホルダ６０に対して基板ボックス１２を痕跡が残るような方法でのみ固着解除される制御装置固着部２００により固着しているので、基板ホルダ６０から基板ボックス１２を不正に取り外すことを防止することができ、当該基板ボックス１２に対して工具を使用して隙間を形成して行われる不正を防止することができる。また、仮に不正行為が行われた場合には、破壊箇所の発生によりその痕跡が残り、不正行為が行われたことを迅速に発見することができる。
【００９０】
また、基板ボックス１２は、基板ホルダ６０に対してスライドして取付けるように構成され、制御装置固着部２００は、基板ボックス１２の所定部位に係合して当該基板ボックス１２の左方向へのスライドを規制する右側上被覆面部９４及び右側下被覆面部９５を具備するカバー部材９０と、基板ボックス１２のスライドが規制された状態で、当該基板ボックス１２を基板ホルダ６０に対して固着するかしめ部９６、かしめ受部８３及びワンウェイネジ９を備える固着部と、を有し、固着部は痕跡が残るような方法でのみ固着解除され、右側上被覆面部９４及び右側下被覆面部９５と基板ボックス１２の係合は、固着部の固着解除後に解除可能に構成されている。
【００９１】
従って、基板ボックス１２は基板ホルダ６０に対してスライドして取付けるように構成され、制御装置固着部２００は、基板ボックス１２の所定部位に係合して当該基板ボックス１２の左方向へのスライドを規制する右側上被覆面部９４及び右側下被覆面部９５と、基板ボックス１２のスライドが規制された状態で、当該基板ボックス１２を基板ホルダ６０に対して固着するかしめ部９６、かしめ受部８３及びワンウェイネジ９を備える固着部と、を有し、固着部は痕跡が残るような方法でのみ固着解除され、右側上被覆面部９４及び右側下被覆面部９５と基板ボックス１２の係合は、固着部の固着解除後に解除可能に構成されているので、基板ホルダ６０から基板ボックス１２を取り外す際のスライドが不可能となり、基板ボックス１２を取り外して行われる不正行為を確実に防止することができる。
【００９２】
また、制御装置固着部２００は、基板ホルダ６０に固定されるベース部材８０と、スライド規制部を有し、ベース部材８０を覆うように配設されるカバー部材９０と、を備え、制御装置固着部２００は、ベース部材８０に設けられたネジ穴８３ａと、カバー部材９０に設けられたネジ孔９６ａと、ネジ孔９６ａに挿通されてネジ穴８３ａに螺合するワンウェイネジ９とを備えている。
【００９３】
従って、制御装置固着部２００は、基板ホルダ６０に固定されるベース部材８０と、スライド規制部を有し、ベース部材８０を覆うように配設されるカバー部材９０と、を備え、制御装置固着部２００は、ベース部材８０に設けられたネジ穴８３ａと、カバー部材９０に設けられたネジ孔９６ａと、ネジ孔９６ａに挿通されてネジ穴８３ａに螺合するワンウェイネジ９とを備えるので、基板ボックス１２の基板ホルダ６０に対する固着を確実に行うことができる。
【００９４】
また、基板ボックス１２は、遊技制御基板を収納する第１ボックス構成部材２０と、第２ボックス構成部材４０と、を備え、第１ボックス構成部材２０及び第２ボックス構成部材４０は、相対的にスライドさせて組み付けられ、カバー部材９０は、閉状態とされた当該基板ボックス１２を開放する右方向への第１ボックス構成部材２０の第２ボックス構成部材４０に対するスライドを規制する上移動規制部９１１及び下移動規制部９２１を有している。
【００９５】
従って、カバー部材９０は、閉状態とされた当該基板ボックス１２を開放する右方向への第１ボックス構成部材２０の第２ボックス構成部材４０に対するスライドを規制する上移動規制部９１１及び下移動規制部９２１を有するので、基板ボックス１２をスライド開放するように構成して、その一端部にボックス固着部７０を備えた構成であっても、第１ボックス構成部材２０と第２ボックス構成部材４０のボックス固着部７０とは反対側の重合部に工具を挿入し、第１ボックス構成部材２０を開放する方向に力を加えてボックス固着部７０を破壊しないで、即ち、樹脂の弾力により力を吸収して、その反対側の端部に隙間を形成したり、或いは、ボックス固着部７０を破壊しないで第１ボックス構成部材２０が第２ボックス構成部材４０から取り外されてしまう不正行為を適正に防止することができる。
【００９６】
また、基板ボックス１２は、第１ボックス構成部材２０と、第２ボックス構成部材４０と、第１ボックス構成部材２０及び第２ボックス構成部材４０を所定操作により固着するボックス固着部７０と、を備え、制御装置固着部２００は、ボックス固着部７０のボックスかしめ部３０のネジ孔が形成された前端面（固着操作面）を覆うように配設されている。
【００９７】
従って、基板ボックス１２は、第１ボックス構成部材２０及び第２ボックス構成部材４０を所定操作により固着するボックス固着部７０を備え、制御装置固着部２００を、ボックス固着部７０における固着操作面を覆うように配設したので、制御装置固着部２００により基板ボックス１２のボックス固着部７０を覆い隠すことができ、基板ボックス１２に対する不正を防止することができる。
【００９８】
なお、本発明は、上記実施形態に限定されることなく、本発明の趣旨を逸脱しない範囲において、種々の改良並びに設計の変更を行っても良い。
例えば、上記実施形態では、制御装置固着部２００を構成するかしめ受部８３によって、ボックスかしめ部３０のワンウェイネジが螺子込まれるネジ孔が形成された前端面（固着操作面）を覆うようにしたが、これに限られるものではなく、制御装置固着部２００によりボックスかしめ部３０の固着操作面を覆うか否かは適宜任意に変更することができる。
【００９９】
また、カバー部材９０に第１ボックス構成部材２０の第２ボックス構成部材４０に対するスライドを規制する上移動規制部９１１及び下移動規制部９２１を設けるようにしたが、これに限られるものではなく、上移動規制部９１１及び下移動規制部９２１を設けるか否かは適宜任意に変更することができる。
【０１００】
さらに、制御装置固着部２００をベース部材８０とカバー部材９０とを備えて構成して、ベース部材８０に設けられたかしめ受部８３のネジ穴８３ａと、カバー部材９０に設けられたかしめ部９６のネジ孔９６ａと、ネジ孔９６ａに挿通されてネジ穴８３ａに螺合するワンウェイネジ９とを備えて固着部を構成するようにしたが、制御装置固着部２００の構成はこれに限られるものではなく、固着解除により痕跡が残るような方法でのみ基板ホルダ６０に対する基板ボックス１２の固着が解除される構成であれば如何なる構成であっても良い。
【０１０１】
また、基板ボックス１２が基板ホルダ６０に対してスライドして取付けるように構成したが、基板ホルダ６０に対する基板ボックス１２の取付方法は、これに限られるものではなく、如何なる方法であっても良い。
さらに、制御装置固着部２００の固着解除後に、基板ボックス１２の左方向へのスライドを規制する右側上被覆面部９４及び右側下被覆面部９５の基板ボックス１２の所定部位に対する係合を解除可能となるように構成したが、スライド以外の方法により基板ボックス１２が基板ホルダ６０に対して取付けられる場合には、右側上被覆面部９４及び右側下被覆面部９５を備えるか否かは適宜任意に変更することができる。
【０１０２】
なお、本発明の遊技機１００は、遊技機として、前記実施の形態に示されるようなパチンコ遊技機に限られるものではなく、例えば、その他のパチンコ遊技機、アレンジボール遊技機、雀球遊技機、パチスロ遊技機などの制御基板を備える全ての遊技機に適用可能である。
【０１０３】
また、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【図面の簡単な説明】
【０１０４】
【図１】本発明を適用した一実施形態の遊技機に備わる遊技盤の一部を示す背面図である。
【図２】図１の遊技盤に備わる遊技制御装置を拡大して示す図である。
【図３】図２の遊技制御装置からカバー部材を取り外した状態を示す図である。
【図４】図２の遊技制御装置を示す斜視図である。
【図５】図２の遊技制御装置を示す側面図である。
【図６】図４の遊技制御装置からカバー部材を取り外した状態を示す分解斜視図である。
【図７】図２の遊技制御装置に備わる固着部のベース部材を示す斜視図である。
【図８】図６のカバー部材を裏側から見て示す斜視図である。
【図９】図４の遊技制御装置を示す分解斜視図である。
【符号の説明】
【０１０５】
１００  遊技機
１０    遊技制御装置（制御装置）
１２    基板ボックス
２０    第１ボックス構成部材
４０    第２ボックス構成部材
６０    基板ホルダ（取付部材）
７０    ボックス固着部（ボックス固着手段）
８０    ベース部材（第１構成部材）
９０    カバー部材（第２構成部材）
９１１  上移動規制部（ボックススライド規制部）
９２１  下移動規制部（ボックススライド規制部）
９４    右側上被覆面部（スライド規制部）
９５    右側下被覆面部（スライド規制部）
９      ワンウェイネジ
２００  制御装置固着部（固着手段）
【図１】
0004767237.tif 000002
【図２】
0004767237.tif 000003
【図３】
0004767237.tif 000004
【図４】
0004767237.tif 000005
【図５】
0004767237.tif 000006
【図６】
0004767237.tif 000007
【図７】
0004767237.tif 000008
【図８】
0004767237.tif 000009
【図９】
0004767237.tif 000010